【手続補正書】
【提出日】平成17年5月12日(2005.5.12)
【手続補正１】
【補正対象書類名】明細書
【補正対象項目名】特許請求の範囲
【補正方法】変更
【補正の内容】
【特許請求の範囲】
【請求項１】
合成樹脂シートからなるセパレータの面に線状のリブが形成され、前記セパレータの面と前記リブの側面とは連続した曲面で接続されたセパレータを介して正極板と負極板とを積層した極板群を電槽に収納した鉛蓄電池であって、前記電槽収納状態において、前記極板群は極板積層方向に圧縮され、前記リブと前記正極板が対向したことを特徴とする鉛蓄電池。
【請求項２】
前記リブの高さ寸法をＤ、前記セパレータの厚み寸法をＴとした時に、比率（Ｄ／Ｔ）を１．０以上に構成したことを特徴とする請求項１に記載の鉛蓄電池。
【請求項３】
前記比率（Ｄ／Ｔ）を１．６以上で、かつ６．０以下に構成したことを特徴とする請求項２に記載の鉛蓄電池。
【請求項４】
前記セパレータが袋状に構成され、この袋状セパレータに正極板が収納されたことを特徴とする請求項１ないし３のいずれかに記載の鉛蓄電池。
【請求項５】
前記セパレータと前記正極板との間に電解液が満たされた請求項１ないし４のいずれかに記載の鉛蓄電池。
【手続補正２】
【補正対象書類名】明細書
【補正対象項目名】０００９
【補正方法】変更
【補正の内容】
【０００９】
【発明が解決しようとする課題】
本発明は前記したように０．３０ｍｍ以下の比較的薄いベースを有するセパレータにおいて、セパレータの表面に形成したリブの基部に沿ったクラックによるセパレータの切断と、これによる正極と負極との短絡を抑制した信頼性の高い鉛蓄電池を得るものである。
【手続補正３】
【補正対象書類名】明細書
【補正対象項目名】００１０
【補正方法】変更
【補正の内容】
【００１０】
【課題を解決するための手段】
前記した課題を解決するために、本発明の請求項１記載に係る発明は、合成樹脂シート
からなるセパレータの面に線状のリブが形成され、前記セパレータの面と前記リブの側面とは連続した曲面で接続されたセパレータを介して正極板と負極板とを積層した極板群を電槽に収納した鉛蓄電池であって、前記電槽収納状態において、前記極板群は極板積層方向に圧縮され、前記リブと前記正極板が対向したことを特徴とする鉛蓄電池を示すものである。
【手続補正４】
【補正対象書類名】明細書
【補正対象項目名】００１１
【補正方法】変更
【補正の内容】
【００１１】
本発明の請求項２に係る発明は、請求項１記載の構成を備えた鉛蓄電池において、リブの高さ寸法をＤ、セパレータの厚み寸法をＴとした時に、比率（Ｄ／Ｔ）を１．０以上に構成した鉛蓄電池を示すものである。
【手続補正５】
【補正対象書類名】明細書
【補正対象項目名】００１２
【補正方法】変更
【補正の内容】
【００１２】
本発明の請求項３記載に係る発明は、請求項２の構成を備えた鉛蓄電池において、比率（Ｄ／Ｔ）を１．６以上で、かつ６．０以下としたものである。
【手続補正６】
【補正対象書類名】明細書
【補正対象項目名】００１３
【補正方法】変更
【補正の内容】
【００１３】
また、本発明の請求項４記載に係る発明は、請求項１ないし３のいずれかに記載の鉛蓄電池において、前記セパレータが袋状に構成され、この袋状セパレータに正極板が収納さされた鉛蓄電池を示すものである。
【手続補正７】
【補正対象書類名】明細書
【補正対象項目名】００１４
【補正方法】変更
【補正の内容】
【００１４】
さらに、本発明の請求項５記載に係る発明は、請求項１ないし４のいずれかに記載の構成を備えた鉛蓄電池において、セパレータと正極板との間に電解液が満たされた構成の鉛蓄電池を示すものである。
【手続補正８】
【補正対象書類名】明細書
【補正対象項目名】００１５
【補正方法】削除
【補正の内容】
【手続補正９】
【補正対象書類名】明細書
【補正対象項目名】００１７
【補正方法】変更
【補正の内容】
【００１７】
図１に示したように、本発明の鉛蓄電池に用いる蓄電池用セパレータ１１は径が０．１〜１０．０μｍ程度の微孔を有する合成樹脂シートで構成されたベース１２を有している。用いる合成樹脂としてはポリエチレン、特に分子量が１００万程度の高分子ポリエチレンを主体とし、必要に応じてシリカ等の無機粉体を添加する。
【手続補正１０】
【補正対象書類名】明細書
【補正対象項目名】００２１
【補正方法】変更
【補正の内容】
【００２１】
上記した蓄電池用セパレータ１１をリブ１４を内側にして折り曲げ、両側部をメカニカルシール等により貼り合わせて袋状セパレータ１５を構成する。この袋状セパレータ１５に正極板１３を収納し、負極板１６を重ね合わせ、同極性の耳部同士を集合溶接してストラップを形成するとともに、このストラップに端子極柱もしくは接続体を形成した極板群（図示せず）を構成する。この極板群を極板積層方向に加圧した状態で電槽（図示せず）に収納する。以降は常法にしたがって、鉛蓄電池を組立、化成充電することにより本発明の鉛蓄電池を得ることができる。
【手続補正１１】
【補正対象書類名】明細書
【補正対象項目名】００２５
【補正方法】変更
【補正の内容】
【００２５】
【実施例】
本発明および従来例の鉛蓄電池を作製した。
【手続補正１２】
【補正対象書類名】明細書
【補正対象項目名】００２６
【補正方法】変更
【補正の内容】
【００２６】
従来例の鉛蓄電池に用いたセパレータは図４に示したリブ形状を有し、ベース４の厚み（Ｔ）を０．３ｍｍとし、リブ３の高さ（Ｄ）を種々に設定した。リブ３の断面形状は下底０．４ｍｍ、上底０．２ｍｍの台形形状を有している。
【手続補正１３】
【補正対象書類名】明細書
【補正対象項目名】００２７
【補正方法】変更
【補正の内容】
【００２７】
本発明例の鉛蓄電池に用いたセパレータは図１（ａ）に示したリブ形状を有し、リブ１４の基部１４ｂは曲面で構成する。リブ１４の断面寸法は上底０．２ｍｍ、下底０．４ｍｍの台形の基部１４ｂを曲率０．２ｍｍの曲面で構成されることによってベース１２とリブ１４の側部１４ａとが連続した曲面で接続された構成を有している。この本発明例の鉛蓄電池に用いた蓄電池用セパレータ１１のベース１２の厚み（Ｔ）は０．３０ｍｍで構成し、リブ１４の高さ寸法（Ｄ）を種々に変化させることにより比率（Ｄ／Ｔ）を変化させた。
【手続補正１４】
【補正対象書類名】明細書
【補正対象項目名】００２８
【補正方法】変更
【補正の内容】
【００２８】
これらのセパレータをそれぞれ袋状セパレータとし、極板を収納した。なお、袋状セパレータの外側にリブを配置する場合には、収納する極板を負極板とし、袋状セパレータの内側に配置する場合には、収納する極板を正極板として、常に正極板がリブに対向するようにした。
【手続補正１５】
【補正対象書類名】明細書
【補正対象項目名】図面の簡単な説明
【補正方法】変更
【補正の内容】
【図面の簡単な説明】
【図１】
（ａ）本発明の鉛蓄電池に用いる蓄電池用セパレータを示す正面図
（ｂ）（ａ）における円部分のＢ−Ｂ´線拡大断面図
【図２】
同リブが変形した場合の要部拡大断面図
【図３】
本発明の実施の形態による鉛蓄電池の要部拡大断面図
【図４】
（ａ）従来例の鉛蓄電池に用いる蓄電池用セパレータを示す正面図
（ｂ）（ａ）における円部分のＡ−Ａ´線拡大断面図
【図５】
（ａ）従来例の鉛蓄電池に用いる蓄電池用セパレータの要部拡大断面図
（ｂ）（ａ）の時間経過をした状態の要部拡大断面図
【符号の説明】
１  セパレータ
２，１３  正極板
３，１４  リブ
３ａ  頂面
３ｂ，１４ｂ  基部
４，１２  ベース
５  クラック
１１  蓄電池用セパレータ
１４ａ  側部
１５  袋状セパレータ
１６  負極板